(57)【特許請求の範囲】
【請求項１】
上カバー、およびその上カバーと合致する下カバーによって、制御素子を設置した基板が覆われた遊技機用制御装置であって、
前記上カバーの端縁に切断可能な複数のネジ保持部が設けられており、それらのネジ保持部の内の少なくとも１つが、ワンウェイタイプのネジによって前記下カバーに螺着されているとともに、
前記ネジが、
前記ワンウェイタイプのネジ頭を有するヘッド部材と、
前記ヘッド部材を螺着可能な軸部と
からなり、
さらに、前記軸部が、
半円柱状に形成され、その基端側に前記ヘッド部材を螺着するためのネジ溝を有する一方、先端側に嵌合凹部を備えた一対の外筒部材と、
先端側の周面に前記下カバーへ螺着するためのネジ溝が周設されている一方、基端部に径方向へ突出する位置決め突起を有する円柱状に形成されており、前記基端部を前記嵌合凹部内へ位置させ、前記位置決め突起を前記外筒部材の何れか一方に形成された固定孔へ差し込んだ状態で前記一対の外筒部材を組み付けることにより前記一対の外筒部材の先端側に固着される軸芯部材と
からなり、
前記ヘッド部材の前記軸部に対する螺着方向が、前記軸部の前記下カバーに対する螺着方向と同一に設定されていることを特徴とする遊技機用制御装置。
【請求項２】
前記ヘッド部材のネジ山が設けられた先端部よりも基端側に、前記先端部よりも小径な軸部を設ける一方、
前記外筒部材の基端側に、前記ヘッド部材の先端部を収納可能な螺合凹部を、前記ネジ溝を覆うように設けるとともに、前記螺合凹部の基端縁に、内側へ突出するフランジ部を設け、前記フランジ部の内径を前記ヘッド部材の先端部よりも小径としており、
前記ヘッド部材と前記軸部との螺着を解除した場合でも、前記ヘッド部材が前記軸部から外れないようになっていることを特徴とする請求項１に記載の遊技機用制御装置。
【発明の詳細な説明】
【技術分野】
【０００１】
本発明は、パチンコ機、スロットマシーン等の遊技機に用いる遊技機用制御装置に関するものである。
【背景技術】
【０００２】
遊技機の一種であるパチンコ機には、制御装置が設けられており、内部の基板上にＲＯＭやＣＰＵ等の制御素子が設置されている。かかる制御素子は、パチンコ機の作動内容を制御するものであるため、パチンコ機が遊技者にとって都合良く作動するように、不正に取り替えられたり不正に改造されたりすることがある。このため、かかる不正を防止するために、従来の遊技機用制御装置の中には、切断可能な複数のネジ保持部を左右両端縁に設けた上カバーと、その上カバーと合致する下カバーとによって、制御素子を設置した基板を覆うとともに、左右のネジ保持部の内の一つずつを、かしめネジ（基端部の外面に対して垂直な面と基端部の外面に対して緩やかに傾斜した面とを有するネジ突起を基端部に設けたもの）を用いて、ドライバ等では外れないように下カバーに螺着することにより、ネジ保持部を切断しなければ上カバーを取り外すことができないようにして、上カバーの取り外しの痕跡が残るように構成したものがある。
【０００３】
【特許文献１】特開平１１−０００４４４号公報
【発明の開示】
【発明が解決しようとする課題】
【０００４】
しかしながら、上記した切断可能なネジ保持部を設けた遊技機用制御装置は、かしめネジのヘッドに電気ドリル等で孔をあけられると、それらの孔を利用してネジを回転させることが可能となってしまうため、ネジ保持部を切断することなく上カバーを取り外すことができてしまう。このため、近年では、制御素子の不正取り替え、不正改造を効果的に防止することができなくなっていた。
【０００５】
本発明の目的は、上記従来の遊技機用制御装置の問題点を解消し、制御素子の不正取り替え、不正改造を効果的に防止することが可能な遊技機用制御装置を提供することにある。
【課題を解決するための手段】
【０００６】
本発明の内、請求項１に記載された発明は、上カバー、およびその上カバーと合致する下カバーによって、制御素子を設置した基板が覆われた遊技機用制御装置であって、前記上カバーの端縁に切断可能な複数のネジ保持部が設けられており、それらのネジ保持部の内の少なくとも１つが、ワンウェイタイプのネジによって前記下カバーに螺着されているとともに、前記ネジが、前記ワンウェイタイプのネジ頭を有するヘッド部材と、前記ヘッド部材を螺着可能な軸部とからなり、さらに、前記軸部が、半円柱状に形成され、その基端側に前記ヘッド部材を螺着するためのネジ溝を有する一方、先端側に嵌合凹部を備えた一対の外筒部材と、先端側の周面に前記下カバーへ螺着するためのネジ溝が周設されている一方、基端部に径方向へ突出する位置決め突起を有する円柱状に形成されており、前記基端部を前記嵌合凹部内へ位置させ、前記位置決め突起を前記外筒部材の何れか一方に形成された固定孔へ差し込んだ状態で前記一対の外筒部材を組み付けることにより前記一対の外筒部材の先端側に固着される軸芯部材とからなり、前記ヘッド部材の前記軸部に対する螺着方向が、前記軸部の前記下カバーに対する螺着方向と同一に設定されていることを特徴とするものである。なお、なお、本発明でいうワンウェイタイプのネジとは、ヘッド部材を片方向に回転させた場合には軸部も一体となって回転するが、ヘッド部材を逆方向に回転させた場合（電気ドリル等を用いて無理矢理に回転させた場合も含む）には軸部（ネジ溝あるいはネジ山周設部分）が回転しないネジのことである。
【０００７】
請求項２に記載された発明は、請求項１に記載された発明において、前記ヘッド部材のネジ山が設けられた先端部よりも基端側に、前記先端部よりも小径な軸部を設ける一方、前記外筒部材の基端側に、前記ヘッド部材の先端部を収納可能な螺合凹部を、前記ネジ溝を覆うように設けるとともに、前記螺合凹部の基端縁に、内側へ突出するフランジ部を設け、前記フランジ部の内径を前記ヘッド部材の先端部よりも小径としており、前記ヘッド部材と前記軸部との螺着を解除した場合でも、前記ヘッド部材が前記軸部から外れないようになっていることを特徴とするものである。
【発明の効果】
【０００８】
請求項１に記載された制御装置は、上カバーと下カバーとを螺着するためのワンウェイタイプのネジのヘッド部材が、軸部に対して螺着可能になっているとともに、そのヘッド部材の軸部に対する螺着方向が、軸部の先端の下カバーに対する螺着方向と同一に設定されているため、電気ドリル等を利用して無理矢理にネジを回転させても、ヘッド部材の軸部に対する螺合状態が解除されるだけで、ネジ自体の下カバーに対する螺合状態（すなわち、ネジの軸部の先端の下カバーに対する螺合状態）が保持されるので、取付片を切断することなく上カバーが不正に取り外される事態を効果的に防止することができる。したがって、請求項１に記載された発明の制御装置によれば、制御素子の不正取り替え、不正改造を効果的に防止することができる。
【０００９】
請求項２に記載された発明の制御装置は、ヘッド部材のネジ山が設けられた先端部よりも基端側に、先端部よりも小径な軸部を設ける一方、外筒部材の基端側に、ヘッド部材の先端部を収納可能な螺合凹部を、ネジ溝を覆うように設けるとともに、螺合凹部の基端縁に、内側へ突出するフランジ部を設け、フランジ部の内径をヘッド部材の先端部よりも小径としており、ヘッド部材と軸部との螺着を解除した場合でも、ヘッド部材が軸部から外れないようになっているため、ネジのヘッド部材が接着剤等によって軸部に接着された上で電気ドリル等によって無理矢理に回転させられる、という事態が起こりにくいので、取付片を切断することなく上カバーが不正に取り外される事態をより効果的に防止することができ、制御素子の不正取り替え、不正改造を一層効果的に防止することができる。
【発明を実施するための最良の形態】
【００１０】
以下、本発明の遊技機用制御装置（以下、単に制御装置という）について、図面に基づいて詳細に説明する。図１は、制御装置１の正面図であり、図２は、図１におけるＡ−Ａ線断面を示す説明図である（なお、図２（ｂ）は、図２（ａ）の一部を拡大して示したものである）。制御装置１は、ＲＯＭ８やＣＰＵ等の種々の制御素子を搭載した基板４ａ，４ｂ、透明な合成樹脂製の上カバー６および下カバー５等によって構成されている。
【００１１】
上カバー６は、幅広な箱形に形成されており、左右両サイドに上固着翼２６，２６が設けられている。各上固着翼２６，２６の上端縁には、それぞれ、係止孔１２が穿設されている。さらに、各係止孔１２，１２の下方には、それぞれ、略円筒状の４個のネジ保持部９，９・・が、左右に位置した切断可能な取付片１０，１０によって、各上固着翼２６，２６の前面に一体的に連設されており、後方に突出した状態になっている。
【００１２】
また、図２の如く、各ネジ保持部９の略中央には、仕切板３５が形成されており、仕切板３５の中央には、ネジ挿通孔３６が穿設されている。さらに、仕切板３５の裏側には、２つの弾性片２８，２８が後方に突出するように設けられている。そして、各ネジ保持部９，９・・においては、金属によって形成されたワンウェイタイプのネジ１３が、ネジ挿通孔３６に挿通され、弾性片２８，２８によって先端を把持された状態で保持されている。
【００１３】
図３、図４は、ワンウェイタイプのネジ１３の正面図、および分解図であり、ワンウェイタイプのネジ１３は、基端部であるヘッド部材１５、軸部の一部（基端側）を構成する半円柱状で２個一対の外筒部材１６ａ，１６ｂおよび軸芯部材１７によって構成されている。
【００１４】
ヘッド部材１５は、ネジ突起２１を設けた頭部１９に、ネジ山を周設した軸体２０を突設したものである。軸体２０の基端側には、先端側に比べて径の小さな小径部２２が設けられている。また、頭部１９のネジ突起２１は、頭部１９の外面に対して垂直な面と、頭部１９の外面に対して緩やかに傾斜した面とを有している。
【００１５】
一方、外筒部材１６ａ、外筒部材１６ｂは、いずれも半円柱状に形成されている。外筒部材１６ａの内面の基端側には、ヘッド部材１５の軸体２０の先端を嵌め込んで螺合させるための螺合凹部２３が設けられている。当該螺合凹部２３の先端側は基端側に比べて小径になっており、ヘッド部材１５の軸体２０のネジ山と螺合するネジ溝が周設されている。また、螺合凹部２３の基端縁には、半ドーナッツ状のフランジ部２４が設けられており、他の部分の内周面よりも内側へ突出するとともに、他の部分の外周面よりも外側へ突出した状態になっている。なお、当該フランジ部２４の内径は、ヘッド部材１５の軸体２０の小径部２２よりも大きく小径部２２以外の部分よりも小さくなるように設計されている。また、当該フランジ部２４の外径は、ヘッド部材１５の頭部１９の外径よりも小さくなるように設計されている。さらに、螺合凹部２３の左右の外側には、位置決めピン２５，２５・・が突設されている。加えて、螺合凹部２３の下側には、軸芯部材１７の基端側を嵌合させるための嵌合凹部２８が設けられている。当該嵌合凹部２８の先端側は、基端側よりも小径になっている。
【００１６】
また、外筒部材１６ｂは、外筒部材１６ａと略同様の形状を有しており、外筒部材１６ａと同様な螺合凹部２３および嵌合凹部２８が設けられている。しかしながら、外筒部材１６ｂの螺合凹部２３の外側には、位置決めピン２５は突設されておらず、当該位置決めピン２５を嵌め込むための位置決め孔３０，３０・・が穿設されている。また、外筒部材１６ｂの嵌合凹部２８の略中央には、軸固定孔３１が穿設されている。
【００１７】
さらに、軸芯部材１７は、略円柱状に形成されている。そして、基端側にフランジ３８が設けられており、先端側にネジ溝が周設されている。また、フランジ３８の外周には、外筒部材１６ｂの嵌合凹部２８に設けられた軸固定孔３１と合致する形状の位置決めピン３９が突設されている。
【００１８】
ネジ１３は、外筒部材１６ａの位置決めピン２５，２５・・を外筒部材１６ｂの位置決め孔３０，３０・・に嵌め込み、外筒部材１６ａの嵌合凹部２８および外筒部材１６ｂの嵌合凹部２８に軸芯部材１７のフランジ３８を嵌め込み、外筒部材１６ａの螺合凹部２３および外筒部材１６ｂの螺合凹部２３によって形成される空洞内に、ヘッド部材１５の軸体２０を嵌め込むようにして、外筒部材１６ａおよび外筒部材１６ｂを合着させる（接着剤による接着等の方法により合着させる）ことによって一体的に組み付けられている。なお、軸芯部材１７のフランジ３８は、位置決めピン３９を外筒部材１６ｂの嵌合凹部２８の軸固定孔３１に嵌め込んだ状態で、外筒部材１６ａの嵌合凹部２８および外筒部材１６ｂの嵌合凹部２８に嵌合されている。したがって、軸芯部材１７が外筒部材１６ａおよび外筒部材１６ｂに対して相対的に回転したりしない。
【００１９】
上記の如く構成されたネジ１３は、ヘッド部材１５のネジ突起２１の垂直面にマイナスのドライバを押し当てて右向きに回転させると、ドライバとネジ突起２１の垂直面とが係合するためヘッド部材１５が右向きに回転する。そして、ヘッド部材１５の軸体２０のネジ山が外筒部材１６ａの螺合凹部２３および外筒部材１６ｂの螺合凹部２３の先端のネジ溝と螺合する。さらに、その状態で、さらに右向きに回転させることによって、外筒部材１６ａ，１６ｂと一体となった軸芯部材１７を回転させて、軸芯部材１７の先端のネジ溝を被螺合物（後述する下カバー５のネジ係合体３２）と螺合させることが可能となる。一方、ドライバを左向きに回転させた場合には、ヘッド部材１５上でドライバとネジ突起２１とが係合しないため回転しない。
【００２０】
また、電気ドリル等でヘッド部材１５の上側に孔を設けてヘッド部材１５を無理矢理にドライバと係合させて左向きに回転させた場合には、ヘッド部材１５の軸体２０と外筒部材１６ａ，１６ｂとの螺合状態が解除され、外筒部材１６ａの螺合凹部２３および外筒部材１６ｂの螺合凹部２３によって形成される空洞の内部でヘッド部材１５の軸体２０が空回りした状態となる。したがって、ヘッド部材１５を無理矢理に左向きに回転させた場合でも、外筒部材１６ａ，１６ｂと一体となった軸芯部材１７が左向きに回転することはない。
【００２１】
一方、図２の如く、下カバー５は、上カバー６と同一幅に形成されており、上カバー６と同様に、左右両サイドに下固着翼２７，２７が連設されている。そして、各下固着翼２７，２７の上端縁には、それぞれ、先端を矢尻状に形成した係止突片１１が突設されている。また、図５は、各下固着翼２７の正面を示したものであり、各下固着翼２７，２７の上カバー６の各ネジ保持部９，９・・と対応する位置には、ネジ孔３６を穿設してなるネジ係合体３２，３２・・が、支持アーム３３，３３および支持リブ３４，３４によって左右の壁板２９，２９等に支持された状態で設けられている。
【００２２】
制御装置１は、基板４ａ，４ｂを下カバー５の内面に螺着した状態で、上カバー６の各上固着翼２６，２６を下カバー５の各下固着翼２７，２７に重ね合わせ、各係止突片１１，１１を各係止孔１２，１２に係止させた状態で、ワンウェイタイプのネジ１３，１３によって、左側の最上方のネジ保持部９（「１」を付したネジ保持部９）を左側の最上方のネジ係合体３２に螺着し、右側の最下方のネジ保持部９（「１」を付したネジ保持部９）を右側の最下方のネジ係合体３２に螺着することによって、組み立てられている。そして、ＲＯＭ８やＣＰＵ等の種々の制御素子を搭載した基板４ａ，４ｂが、上カバー６および下カバー５によって覆われた状態になっている（なお、図１の如く、基板４ａ，４ｂは、上側の一部のみ露出した状態になっている）。
【００２３】
上記の如く構成された制御装置１は、パチンコ機の裏面側の機構板等に設置された状態で使用される。そして、搭載されたＲＯＭ８やＣＰＵ等の種々の制御素子によって、パチンコ機の作動内容を制御する。
【００２４】
また、制御装置１は、上カバー６のネジ保持部９，９と下カバー５のネジ係合体３２，３２とが、ワンウェイタイプのネジ１３，１３によって螺着されているため、ネジ１３を螺着時と反対方向（左回り）に回転させても、ネジ保持部９とネジ係合体３２との螺着状態が解除されない。それゆえ、上カバー６を取り外す場合には、ネジ係合体３２，３２と螺着したネジ保持部９，９の前方に設けられた２つの取付片１０，１０・・を、ニッパ等の工具で切断し、かかるネジ保持部９，９を上カバー６から切り離すことによって、上カバー６と下カバー５とを分離しなければならない。
【００２５】
また、再度 上カバー６を下カバー５に合着させる場合には、左側の最上方のネジ係合体３２および右側の最下方のネジ保持部９以外のネジ保持部９，９（すなわち、未だネジ係合体３２と螺着していない同じ番号を付したネジ保持部９，９同士）を、それぞれ、ネジ１３，１３により同位置のネジ係合体３２，３２と螺着すれば良い。それゆえ、一旦、上カバー６と下カバー５とを分離した後でも、再度、上カバー６を下カバー５に合着させることができ、そのような上カバー６、下カバー５の分離、合着を４回繰り返すことができる。
【００２６】
制御装置１は、上記の如く、上カバー６を下カバー５と分離するためには、取付片１０，１０を切断することによりネジ係合体３２，３２と螺着されたネジ保持部９，９を上カバー６から切り離さなければならないため、上カバー６が取り外された場合には、必ずその痕跡が残る。それゆえ、上カバー６の開閉の有無を容易に把握することができる。それにも拘わらず、各取付片１０，１０が容易に切断可能な構造を有しているため、それらの取付片１０，１０をニッパ等の工具で切断することによって、上カバー６を容易に取り外して、基板８上に設置された制御素子の内容をチェックすることができる。
【００２７】
その上、制御装置１は、ワンウェイタイプのネジ１３の基端部（ヘッド部材１５）が、軸部（軸芯部材１７）に対して螺着可能になっているとともに、その基端部の軸部に対する螺着方向が、ネジ１３の軸部の先端の下カバー５に対する螺着方向と同一に設定されている。したがって、電気ドリル等を利用して無理矢理にネジ１３を回転させても、ネジ１３の基端部の軸部に対する螺合状態が解除されるだけで、ネジ１３自体の下カバー５に対する螺合状態（すなわち、軸芯部材１７の先端の下カバー５に対する螺合状態）が保持されるので、取付片１０，１０・・を切断することなく上カバー６が不正に取り外される事態を効果的に防止することができる。したがって、制御装置１によれば、制御素子の不正取り替え、不正改造を効果的に防止することができる。なお、ネジ１３の外筒部材１６ａ，１６ｂの上端際にはフランジ２４が突設されているため、ネジ１３の基端部の軸部に対する螺合状態が解除された場合でも（すなわち、ヘッド部材１５の軸体２０と外筒部材１６ａ，１６ｂとの螺合状態が解除された場合でも）、当該フランジ２４によって上カバーが押さえ付けられた状態に保たれるので、下カバー５に対する上カバー６の螺合強度が低下したりしない。
【００２８】
また、制御装置１は、ネジ１３の基端部と軸部との螺着を解除した場合でも、基端部が軸部から外れないようになっているため、ネジ１３の基端部が接着剤等によって軸部に接着された上で電気ドリル等によって無理矢理に回転させられる、という事態が起こりにくいので、取付片１０，１０・・を切断することなく上カバー６が不正に取り外される事態をより効果的に防止することができ、制御素子の不正取り替え、不正改造を一層効果的に防止することができる。
【００２９】
なお、本発明の制御装置は、上記実施形態の態様に何ら限定されるものではなく、基板、上カバー、下カバー、ワンウェイタイプのネジ等の形状、構造等の構成を本発明の趣旨を逸脱しない範囲内で適宜変更することができる。
【００３０】
たとえば、上カバーの各上固着翼に設けるネジ保持部の個数や、下カバーの左右の各下固着翼に設ける取付タブの個数は、４個に限定されず、３個以下あるいは５個以上でも良い。また、各上固着翼とネジ保持部とを連結する取付片の個数も、２個に限定されず、１個でも良いし、３個以上でも良い。さらに、上固着翼や下固着翼の設置位置は、上下カバーの左右両端縁に限定されず、上下カバーの上下両端縁でも良い。
【００３１】
また、ネジ保持部を螺着するために用いるワンウェイタイプのネジは、上記実施形態の如く、先端が平坦なネジに限定されず、先端の尖った木ネジ等の他の形状を有するものでも良い。さらに、ヘッドに２個のネジ突起が設けられたものに限定されず、４個のネジ突起が設けられたプラスタイプのドライバで回転可能なもの等でも良い。また、ワンウェイタイプのネジは、ドライバによってはヘッド部分（基端部）が一方向しか回転しないものに限定されず、ヘッド部分が通常の＋（プラス）タイプや−（マイナス）タイプのネジと同様に軸部に対して螺着・解除可能であるものに変更することも可能である（ヘッド部分をそのように構成しても、ネジは、ヘッド部分を一方向に回転させた場合にのみ軸部と螺合して軸部を回転させることができ、反対方向に回転させた場合には軸部を回転させることができないワンウェイタイプのものとして機能する）。
【００３２】
加えて、ワンウェイタイプのネジは、上記実施形態の如く、外筒部材と軸芯部材とが分離したものに限定されず、外筒部材と軸芯部材とが一体になったもの等に変更することも可能である。図６は、外筒部材と軸芯部材とが一体になったワンウェイタイプのネジを示したものである。ネジ４３は、ヘッド部材１５と略半円柱状に形成された２つの外筒部材４２ａ，４２ｂとによって形成されており、外筒部材４２ａの螺合凹部４３，外筒部材４２ｂの螺合凹部によって形成される空洞内に、ヘッド部材１５の軸体２０を嵌め込んで外筒部材４２ａおよび外筒部材４２ｂを合着させることによって一体的に組み付けることができるようになっている。そのように構成した場合でも、上記実施形態のネジと同様に、電気ドリル等を利用して無理矢理にネジを回転させた場合に、ネジ４１の基端部の軸部に対する螺合状態が解除されるだけで、ネジ４１自体の下カバーに対する螺合状態が保持されるので、取付片を切断することなく上カバーが不正に取り外される事態を効果的に防止することができる。
【００３３】
また、ワンウェイタイプのネジは、上記実施形態の如く、略半円柱状に形成された２つの外筒部材（あるいは外筒部材および軸芯部材）を組み付けて接着したものに限定されず、略半円柱状に形成された２つの外筒部材（あるいは外筒部材および軸芯部材）を組み付けて溶接することにより一体化したもの等に変更することも可能である。
【００３４】
また、ワンウェイタイプのネジの外筒部材の形状は、上記実施形態の如き円筒状に限定されず、角柱状等の他の形状でも良い。また、外筒部材に設ける螺合凹部の形状も、上記実施形態の如き円柱状に限定されず、球状や角柱状の螺合凹部を外筒部材に設けることも可能である。一方、ワンウェイタイプのネジは、上記実施形態の如く、金属製のものに限定されず、硬質の合成樹脂やセラミックス等のその他の素材によって形成されたものでも良い。さらに、基端部（ヘッド部材）の材質と軸部（外筒部材および軸芯部材）の材質とを異ならせることも可能である。
【００３５】
加えて、ワンウェイタイプのネジは、上記実施形態の如く、外筒部材の上端際にドーナッツ状のフランジを設けたものに限定されず、フランジのないものでも良い。さらに、フランジの形状を多角形状等に変更することも可能であるし、フランジの代わりに、外筒部材の外周面に１つあるいは複数の突起（形状は特に限定されない）を設けることも可能である。そのような構成を採用しても、ネジの基端部の軸部に対する螺合状態に関わらず当該突起によって上カバーが押さえ付けられた状態に保たれるので、下カバーに対する上カバーの螺合強度が低下したりしない。
【００３６】
また、ワンウェイタイプのネジを、フランジのないものとする場合には、基端部と軸部との螺合部分（すなわち、上記実施形態では、ヘッド部材の軸体のネジ山を周設した部分、および、外筒部材の螺合凹部）の長さをできるだけ短くすることが望ましい。そうすることによって、電気ドリル等を利用して無理矢理にネジの基端部と軸部との螺着を解除した場合に基端部の内面とネジ保持体の仕切板の表面との間に大きな隙間が形成される事態が回避されるので、上カバーと下カバーとの螺合強度が低下し、上カバーががたつく、という事態が起こりにくくなる。
【００３７】
また、ワンウェイタイプのネジは、外筒部材や軸芯部材の太さが一定であるものに限定されず、外筒部材や軸芯部材の一部が下カバーのネジ孔よりも大径であるものでも良い。かかる構成を採用した場合でも、外筒部材にフランジを設けた場合と同様に、ネジの基端部の軸部に対する螺合状態に関わらず当該突起によって上カバーが押さえ付けられた状態に保たれるので、下カバーに対する上カバーの螺合強度が低下したりしない。なお、外筒部材や軸芯部材の一部を下カバーのネジ孔よりも大径とする場合には、外筒部材や軸芯部材の外周にテーパ面を設ける等の方法により、大径の部分とその他の部分との間に屈曲点が形成されないように下側から上側にかけて連続的に径を大きくすることも可能である。
【００３８】
なお、上記実施形態においてはパチンコ機に使用される制御装置について説明したが、本発明の制御装置が使用される遊技機は、スロットマシーンやテレビゲーム等のパチンコ機以外の遊技機でも良い。
【図面の簡単な説明】
【００３９】
【図１】遊技機用制御装置の正面図である。
【図２】図３におけるＡ−Ａ線断面を示す説明図である（ｂはａにおける波線部分の拡大図である）。
【図３】ワンウェイタイプのネジの正面図である。
【図４】ワンウェイタイプのネジの分解図である。
【図５】右側の下固着翼の正面を示す説明図である。
【図６】ワンウェイタイプのネジの変更例を示す説明図である（ａは正面図であり、ｂは分解図であり、ｃは底面図である）。
【符号の説明】
【００４０】
１・・制御装置
４ａ，４ｂ・・基板
５・・下カバー
６・・上カバー
８・・制御素子  
９・・ネジ保持部
１３・・ネジ
１５・・ヘッド部材
１６ａ，１６ｂ・・外筒部材
１７・・軸芯部材
【図１】
0005110644.tif 000002
【図２】
0005110644.tif 000003
【図３】
0005110644.tif 000004
【図４】
0005110644.tif 000005
【図５】
0005110644.tif 000006
【図６】
0005110644.tif 000007